Podtech/llm-jp-corpus-v4-ja_patent huggingface dataset:
【誤訳訂正書】
【提出日】平成27年3月10日(2015.3.10)
【誤訳訂正１】
【訂正対象書類名】明細書
【訂正対象項目名】００１２
【訂正方法】変更
【訂正の内容】
【００１２】
これまで、メシレート前駆体を用いるワンポット放射性同位体標識付けが行われてきた。スチルベンのＦ−１８標識付けのために、メシラートが低量の副生成物しか生じないよりクリーンな反応を提供することによって対応するトシレートを超える利点を有することが知られているが（W. Zhang et al. Journal of Medicianl Chemistry 48（2005）5980-5988）、トシレート前駆体から出発する精製は冗漫であり、時間がかかり、収率も低い。
【誤訳訂正２】
【訂正対象書類名】特許請求の範囲
【訂正対象項目名】全文
【訂正方法】変更
【訂正の内容】
【特許請求の範囲】
【請求項１】
式ＩＩ：
【化１】
2013527211.tif 000001
［式中、
Ｒは
ａ）Ｈ、
ｂ）ＰＧ
から成る群から選択され、
ＰＧはｔ-ブチルオキシカルボニル（Ｂｏｃ）であり、
ＬＧは０〜３個のフッ素原子を含むアリールスルホニルオキシである。］
の化合物。
【請求項２】
アリールスルホニルオキシは、ｐ-トルエンスルホニルオキシ、４-シアノフェニルスルホニルオキシ、４-ブロモフェニルスルホニルオキシ、４-ニトロフェニルスルホニルオキシ、２-ニトロフェニルスルホニルオキシ、４-イソプロピルフェニルスルホニルオキシ、２，４，６-トリイソプロピルフェニルスルホニルオキシ、２，４，６-トリメチルフェニルスルホニルオキシ、４-ｔｅｒｔ-ブチルフェニルスルホニルオキシ、４-アダマンチルフェニルスルホニルオキシ、及び４-メトキシフェニルスルホニルオキシから成る群から選択される、請求項１に記載の化合物。
【請求項３】
２-［２-（２-｛４-［（Ｅ）-２-｛４-［（ｔｅｒｔ-ブトキシカルボニル）（メチル）アミノ］フェニル｝ビニル］フェノキシ｝エトキシ）エトキシ］エチル-４-メチルベンゼンスルホネート
【化２】
2013527211.tif 000002
２-［２-（２-｛４-［（Ｅ）-２-｛４-［（ｔｅｒｔ-ブトキシカルボニル）（メチル）アミノ］フェニル｝ビニル］フェノキシ｝エトキシ）エトキシ］エチル-４-（アダマンタン-１イル）ベンゼンスルホネート
【化３】
2013527211.tif 000003
２-［２-（２-｛４-［（Ｅ）-２-｛４-［（ｔｅｒｔ-ブトキシカルボニル）（メチル）アミノ］フェニル｝ビニル］フェノキシ｝エトキシ）エトキシ］エチル-４−シアノベンゼンスルホネート
【化４】
2013527211.tif 000004
２-［２-（２-｛４-［（Ｅ）-２-｛４-［（ｔｅｒｔ-ブトキシカルボニル）（メチル）アミノ］フェニル｝ビニル］フェノキシ｝エトキシ）エトキシ］エチル-２-ニトロベンゼンスルホネート
【化５】
2013527211.tif 000005
２-｛２-［２-（４-｛（Ｅ）-２-｛４-［（ｔｅｒｔ-ブトキシカルボニル）（メチル）アミノ］フェニル］ビニル｝フェノキシ）エトキシ］エトキシ｝エチル-４-メチルベンゼンスルホネート
【化６】
2013527211.tif 000006
から成る群から選択される、化合物。
【請求項４】
式ＩＩの化合物を反応させることによる、式Ｉ：
【化７】
2013527211.tif 000007
の化合物を製造する方法であって、
工程１：式ＩＩの化合物をＦ-１８フッ素化剤で放射性標識付けすることにより、Ｒ＝Ｈの場合には式Ｉの化合物を得、又はＲ＝ＰＧの場合には式ＩＩＩの化合物を得、
【化８】
2013527211.tif 000008
工程２：Ｒ＝ＰＧの場合には、保護基ＰＧを切断することにより式Ｉの化合物を得、
工程３：式Ｉの化合物を精製して製剤すること
を含み、式ＩＩの化合物は請求項１又は２に記載されているとおりである、方法。
【請求項５】
工程１における式ＩＩの化合物として、請求項３に記載の化合物を使用する、請求項４に記載の方法。
【請求項６】
全自動プロセスとして実施される、請求項４又は５に記載の方法。
【請求項７】
式ＩＩ：
【化９】
2013527211.tif 000009
［式中、
Ｒは
ａ）Ｈ、
ｂ）ＰＧ
から成る群から選択され、
ＰＧはｔ-ブチルオキシカルボニル（Ｂｏｃ）であり、
ＬＧは０〜３個のフッ素原子を含むアリールスルホニルオキシである。］
の化合物を含む少なくとも１つの密封容器を含むキット。
【請求項８】
アリールスルホニルオキシは、
ａ）ｐ-トルエンスルホニルオキシ、
ｂ）（２-ニトロフェニル）スルホニルオキシ、
ｃ）（４-シアノフェニル）スルホニルオキシ、
ｄ）（４-ブロモフェニル）スルホニルオキシ
ｅ）（４-アダマンチルフェニル）スルホニルオキシ
から成る群から選択される、請求項７に記載のキット。
【請求項９】
請求項３で定義された化合物を含む少なくとも１つの密封容器を含むキット。
【誤訳訂正書】
【提出日】平成27年4月3日(2015.4.3)
【誤訳訂正１】
【訂正対象書類名】明細書
【訂正対象項目名】００２５
【訂正方法】変更
【訂正の内容】
【００２５】
典型的な前駆化合物は例えば、ラクトース、スクロース、グルコース、スターチ等の炭水化物、ポリスチレンブタジエンブロックコポリマー、ポリエチレン、ポリプロピレン等のポリマー、ベンゼン、アントラセン、トルエン、ペリレン等の芳香族化合物、グリコールおよびポリグリコール等の高級アルコール、ならびに当業者において周知されているその他の全ての適切な化合物である。
【誤訳訂正２】
【訂正対象書類名】明細書
【訂正対象項目名】００２９
【訂正方法】変更
【訂正の内容】
【００２９】
本発明に係る合成材料のタップ密度は６００ｇ／ｌ超、別の実施形態によれば６５０ｇ／ｌ超、さらに別の実施形態によれば７００ｇ／ｌ超となる。このことは、本発明に係る合成材料を活性材料として含む電極の圧縮密度を増加させることに寄与し、それによってその容量も増加する。このパラメータが電極活性材料の特徴付けに極めて適していることが判明した。
【誤訳訂正３】
【訂正対象書類名】明細書
【訂正対象項目名】００４０
【訂正方法】変更
【訂正の内容】
【００４０】
本発明に係る方法の枠内において好適なものは、特にラクトース、スクロース、グルコース、スターチ等の炭水化物あるいはそれらの混合物、中で極めて好適なものはラクトース、グリコールおよびポリグリコール等の高級アルコール、ポリスチレンブタジエンブロックコポリマー、ポリエチレン、ポリプロピレン等のポリマー、ベンゼン、アントラセン、トルエン、ペリレン等の芳香族化合物およびそれらの混合物、ならびに当業者において周知されているその他の全ての適切な化合物である。
【誤訳訂正４】
【訂正対象書類名】明細書
【訂正対象項目名】００４１
【訂正方法】変更
【訂正の内容】
【００４１】
炭水化物を使用する場合は好適な実施形態において水性の溶液の形態で使用するか、または本発明の好適な追加実施形態によれば炭水化物をリチウム遷移金属燐酸塩および／または元素炭素と混合した後水を添加しそれによってスラリを収得し、その後処理は特に製造技術上および廃棄物の観点から他の方法形態に比べて好適なものとなる。
【誤訳訂正５】
【訂正対象書類名】明細書
【訂正対象項目名】００４２
【訂正方法】変更
【訂正の内容】
【００４２】
例えばベンゼン、トルエン、ナフタリン、ポリエチレン、ポリプロピレン等のその他の前駆物質も純粋材料として直接的にあるいは有機溶媒の溶液として使用することができる。
【誤訳訂正６】
【訂正対象書類名】明細書
【訂正対象項目名】００８１
【訂正方法】変更
【訂正の内容】
【００８１】
【表１】
2013527576.tif 000001
【誤訳訂正７】
【訂正対象書類名】明細書
【訂正対象項目名】００８２
【訂正方法】変更
【訂正の内容】
【００８２】
表１から理解できるように、例１および２の本発明に係る合成材料は比較例と比べて著しく増加したタップ密度を有する。目立つのは、本発明による炭素含有率の最大をより高いものとあるいはより低いものと比較した場合である。さらに、圧縮密度（電極の活性材料と相関して）の顕著な増加が見られる。
【誤訳訂正８】
【訂正対象書類名】特許請求の範囲
【訂正対象項目名】全文
【訂正方法】変更
【訂正の内容】
【特許請求の範囲】
【請求項１】
リチウム遷移金属燐酸塩の粒子と炭素を含んでなり、総炭素含有率が１．４重量％以下であり、ＢＥＴ比表面積は１２．５ｍ２／ｇ以下であり、タップ密度および粉末抵抗が、それぞれ６００ｇ／ｌ超であり、および７０Ω・ｃｍ未満である合成材料。
【請求項２】
遷移金属はＦｅ，Ｃｏ，Ｍｎ，Ｎｉ，あるいはそれらの混合物である請求項１記載の合成材料。
【請求項３】
リチウム遷移金属燐酸塩が異質元素によってドーピングされる請求項２記載の合成材料。
【請求項４】
異質元素がＭｇ，Ｚｎ，Ｃａ，Ｂ，Ｂｉ，Ｎｂ，Ｔａ，Ｚｒ，Ｔｉ，Ｈｆ，Ｖ，Ｗ，Ｍｏ，Ｒｕ，Ｃｕ，Ａｇ，Ａｕ，Ｉｒから選択される請求項３記載の合成材料。
【請求項５】
炭素が熱分解炭素および／または元素炭素である請求項１ないし４のいずれかに記載の合成材料。
【請求項６】
熱分解炭素が被覆の形態でリチウム遷移金属燐酸塩の粒子上に存在する請求項５記載の合成材料。
【請求項７】
熱分解炭素の被覆の層厚が２ないし１５ｎｍの範囲となる請求項６記載の合成材料。
【請求項８】
元素炭素がグラファイト、炭素ナノチューブ、フラーレン、ならびにそれらの混合物から選択される結晶質の炭素同素体、またはＶＧＣＦ炭素である請求項５記載の合成材料。
【請求項９】
請求項１ないし８のいずれかに記載の合成材料を含んだ活性材料を有するリチウムイオン二次電池用の電極。
【請求項１０】
請求項９の電極を備えたリチウムイオン二次電池。
【誤訳訂正書】
【提出日】平成27年8月4日(2015.8.4)
【誤訳訂正１】
【訂正対象書類名】明細書
【訂正対象項目名】０００７
【訂正方法】変更
【訂正の内容】
【０００７】
したがって、一態様では、本明細書には、アミノ（Ｎ）−末端フィンガーの最後の残基（典型的には、カルボキシ（Ｃ）末端亜鉛配位結合残基）とＣ末端フィンガーの最初の残基（典型的には、最初の（Ｎ末端）保存芳香族残基）との間に５個又はそれ以上のアミノ酸を含む、例えば７〜１７個のアミノ酸を含むリンカーが記載される。ある実施形態では、このリンカーは、Ｎ末端残基と、Ｃ末端残基と、これらの末端残基の内部の残基とを含み、更にここにおいて、Ｎ末端残基又は内部残基が少なくとも１個のプロリン残基を含み、例えば、リンカーは、アミノ酸配列ＸN末端−Ｘn−ＸC末端を含み、式中のＸは任意のアミノ酸残基であり、Ｘnは少なくとも３個のアミノ酸残基と少なくとも１個のＸN末端とを含み、並びにＸnはプロリン残基を含む。ある実施形態では、このリンカーは、少なくとも２個のプロリン残基（例えば２、３、４個又はそれ以上）を含む。他の実施形態では、このリンカーは少なくとも１個のプロリン残基と少なくとも１個の塩基性残基（例えば、Ａｒｇ、Ｈｉｓ又はＬｙｓ）とを含む。他の実施形態では、このリンカーは少なくとも２個の塩基性残基（例えば、Ａｒｇ、Ｈｉｓ又はＬｙｓ）を含む。ある実施形態では、このリンカーは、表４、５、６、９、１０、１１又は１３のいずれかに示されるリンカーである。
【誤訳訂正２】
【訂正対象書類名】特許請求の範囲
【訂正対象項目名】全文
【訂正方法】変更
【訂正の内容】
【特許請求の範囲】
【請求項１】
複数の非天然ジンクフィンガーモジュールを含むジンクフィンガータンパク質であって、非天然ジンクフィンガーＤＮＡ結合モジュールの少なくとも２つは、Ｎ−末端ジンクフィンガーモジュールの最後の残基とＣ−末端ジンクフィンガーモジュールの最初の残基との間に５〜２０個のアミノ酸残基のアミノ酸リンカー配列で接続され、前記リンカーが、Ｎ末端ジンクフィンガーモジュールに隣接したＮ末端アミノ酸残基と、Ｃ末端ジンクフィンガーモジュールに隣接したＣ末端アミノ酸残基と、Ｎ−及びＣ−末端アミノ酸リンカー残基の内部にあるアミノ酸残基を含み、並びに
（i）前記Ｎ末端アミノ酸リンカー残基又は内部のアミノ酸リンカー残基は、少なくとも１個のプロリン残基を含み、
（ii）前記ジンクフィンガータンパク質は、各フィンガーモジュールによって結合された標的サブサイトを含む標的部位に結合し、
（iii）前記アミノ酸リンカーによって接続されたジンクフィンガーＤＮＡ−結合モジュールによって結合された標的サブサイト間に０、１、２又は３個の塩基対のギャップが存在する、
ジンクフィンガータンパク質。
【請求項２】
前記リンカーが、少なくとも２個の塩基性アミノ酸残基を更に含む、請求項１に記載のジンクフィンガータンパク質。
【請求項３】
前記塩基性アミノ酸残基が、アルギニン残基、ヒスチジン残基、リジン残基及びそれらの組み合わせからなる群から選択される、請求項２に記載のジンクフィンガータンパク質。
【請求項４】
請求項１〜３のいずれか一項に記載のジンクフィンガータンパク質及び調節ドメインを含む、融合タンパク質。
【請求項５】
前記調節ドメインが、転写モジュレートドメインである、請求項４に記載の融合タンパク質。
【請求項６】
前記調節ドメインが、活性化ドメイン又は抑制ドメインである、請求項５に記載の融合タンパク質。
【請求項７】
前記調節ドメインが、開裂ドメイン又は開裂ハーフドメインである、請求項４に記載の融合タンパク質。
【請求項８】
請求項１〜７のいずれか一項に記載のタンパク質のいずれかをコードするポリヌクレオチド。
【請求項９】
請求項１〜７のいずれか一項に記載のタンパク質のいずれか及び／又は請求項８に記載のポリヌクレオチドを含む細胞。
【請求項１０】
請求項１〜７に記載のいずれか一項に記載のタンパク質又は請求項８に記載のポリヌクレオチドを含む、細胞中の遺伝子の発現をモジュレートするための組成物であって、前記細胞に投与される、組成物。
【請求項１１】
前記モジュレーションが、前記遺伝子の上方制御又は下方制御を含む、請求項１０に記載の組成物。
【請求項１２】
前記モジュレーションが、前記遺伝子の開裂を含む、請求項１０に記載の組成物。
【請求項１３】
前記遺伝子が内因性細胞遺伝子である、請求項１０〜１２のいずれか一項に記載の組成物。
【誤訳訂正書】
【提出日】平成27年1月20日(2015.1.20)
【誤訳訂正１】
【訂正対象書類名】特許請求の範囲
【訂正対象項目名】全文
【訂正方法】変更
【訂正の内容】
【特許請求の範囲】
【請求項１】
心臓及び喉頭筋を有する生体の迷走神経を電気的に刺激するためのシステム（１００）であって、
電気刺激パルスを迷走神経に送出するように構成された刺激回路（２４０）と、
複数の刺激パラメータを使用して前記電気刺激パルスの前記送出を制御するように構成された刺激制御回路（２４２）であって、喉頭筋の収縮を引き起こすことなく心臓血管機能を調節するための、前記電気刺激パルスの前記送出に対して選択された少なくとも１つの刺激パラメータを含む前記複数の刺激パラメータを格納するストレージ回路（２４６）と、心臓血管機能の調節を示す複数の第１のパラメータが各々第１の閾値範囲内にあり且つ喉頭筋の収縮の非発生を示す第２のパラメータが第２の閾値範囲内にあるように、前記少なくとも１つの刺激パラメータを調節するように構成されたパラメータ調節器（２４４）と、を含む、刺激制御回路（２４２）と、
喉頭筋の収縮を示す筋電図（ＥＭＧ）信号を感知するように構成された筋電図（ＥＭＧ）感知回路（５７２）と、
前記ＥＭＧ信号を使用して前記ＥＭＧ信号の振幅を生成するように構成されたＥＭＧ振幅生成器（５８２）であって、前記振幅が、前記第２のパラメータである、ＥＭＧ振幅生成器（５８２）と、
前記心臓血管機能を示す心電図（ＥＣＧ）信号を感知するように構成されたＥＣＧ感知回路（５５２）と、
前記ＥＣＧ信号を使用して心拍数を生成するように構成された心拍数生成器（５６２）であって、前記心拍数は、前記第１のパラメータのうちのパラメータである、心拍数生成器（５６２）と、
前記心臓血管機能を示す動脈血圧信号を感知するように構成された動脈血圧（ＢＰ）感知回路（５５４）と、
動脈血圧信号を使用して平均動脈ＢＰを生成するように構成された平均ＢＰ生成器（５６４）であって、前記平均動脈ＢＰが、前記第１のパラメータのうちのパラメータである、平均ＢＰ生成器（５６４）と、
前記心臓血管機能を示す左心室（ＬＶ）血圧信号を感知するように構成されたＬＶ圧力感知回路（５５６）と、
ＬＶ収縮力の尺度であり前記第１のパラメータのうちのパラメータであるＬＶ圧力変化の比率を生成するように構成されたＬＶ収縮力生成器（５６６）と、を含む、
ことを特徴とするシステム。
【請求項２】
前記刺激回路及び前記刺激制御回路を封入する埋め込み型ハウジング（１１２）を含む、埋め込み型医療デバイス（１１０）を含む、ことを特徴とする請求項１に記載のシステム。
【請求項３】
双極神経カフ電極（１３６，２３６）と、前記双極神経カフ電極が前記埋め込み型医療デバイスに電気的に接続される埋め込み型リード（１３０）と、を更に含む、
請求項２に記載のシステム。
【請求項４】
前記埋め込み型医療デバイスは、心臓ペースメーカーを含む、請求項２に記載のシステム。
【請求項５】
前記埋め込み型医療デバイスは、心臓除細動器または除細動器を含む、請求項２に記載のシステム。
【請求項６】
筋肉内電極（５３８）を更に含み、前記筋電図（ＥＭＧ）感知回路（５７２）は、前記筋肉内電極を用いて前記ＥＭＧ信号を感知するように構成される、請求項１に記載のシステム。
【請求項７】
表面電極（５５３）を更に含み、前記心電図（ＥＣＧ）感知回路（５５２）は、前記表面電極を用いて心臓血管機能を示すＥＣＧ信号を感知するように構成される、請求項１に記載のシステム。
【請求項８】
血管内圧力感知カテーテル（５５５）を更に含み、前記動脈血圧（ＢＰ）感知回路（５５４）は、前記血管内圧力感知カテーテルを用いて心臓血管機能を示す動脈血圧信号を感知するように構成される、請求項１に記載のシステム。
【請求項９】
血管内圧力感知カテーテル（５５７）を含み、前記左心室（ＬＶ）圧力感知回路（５５６）は、前記血管内圧力感知カテーテルを用いて心臓血管機能を示す左心室（ＬＶ）血圧信号を感知するように構成される、請求項１に記載のシステム。
【誤訳訂正２】
【訂正対象書類名】明細書
【訂正対象項目名】００４３
【訂正方法】変更
【訂正の内容】
【００４３】
第１の感知回路５５０は、心臓血管機能を示す第１の生理的信号を感知する。第１のパラメータ生成器５６０は、第１の生理的信号を使用して心臓血管機能を示す第１のパラメータを生成する。図５に示すように、第１の感知回路５５０は、ＥＣＧ感知回路５５２、動脈血圧（ＢＰ）感知回路５５４、及びＬＶ圧力感知回路５５６を含む。第１のパラメータ生成器５６０は、心拍数（ＨＲ）生成器５６２、平均ＢＰ生成器５６４、及びＬＶ収縮力生成器５６６を含む。ＥＣＧ感知回路５５２は、表面電極５５３を使用してＥＣＧ信号を感知する。ＨＲ生成器５６２は、ＥＣＧ信号を使用して心拍数を生成する。動脈ＢＰ感知回路５５４は、血管内圧力感知カテーテル５５５を使用して動脈血圧信号を感知する。
平均ＢＰ生成器５６４は、動脈血圧信号を使用して平均動脈ＢＰを生成する。ＬＶ圧力感知回路５５６は、血管内圧力感知カテーテル５５７を使用してＬＶ血圧信号を感知する。
ＬＶ収縮力生成器５６６は、ＬＶ収縮力の尺度であるＬＶ圧力変化の比率を生成する。様々な実施形態では、第１の感知回路５５０は、調節すべき心臓血管機能の性質、及びモニタするように選択されたその心臓血管機能の尺度又は目安に応じて、ＥＣＧ感知回路５５２、動脈ＢＰ感知回路５５４、ＬＶ圧力感知回路５５６、及び心臓血管機能を示す信号を感知する他の感知回路のうちのいずれか１つ又はそれよりも多くを含む。同様に、第１のパラメータ生成器５６０は、ＨＲ生成器５６２、平均ＢＰ生成器５６４、ＬＶ収縮力生成器５６６、及び心臓血管機能を示すパラメータを生成する他のパラメータ生成器のうちのいずれか１つ又はそれよりも多くを含む。
【誤訳訂正書】
【提出日】平成27年4月20日(2015.4.20)
【誤訳訂正１】
【訂正対象書類名】明細書
【訂正対象項目名】００３８
【訂正方法】変更
【訂正の内容】
【００３８】
実施例１２
ジクロロマレイミド（ＶＩ−２）（６．６４ｇ［０．０４ｍｏｌ］）のメタノール（４０ｍｌ）溶液を６５°Ｃにしたところに、約１０分間にわたり、同様に６５℃に加温したチオ硫酸ナトリウム五水和物（１３．８９ｇ［０．０５６ｍｏｌ］）の水（４０ｍｌ）溶液を滴下した。  滴下終了後、反応混合物をさらに１時間、６５℃にて攪拌した。反応混合物を１５℃まで冷却した後、１０ｍｌの水を加え、１５分間攪拌した。固形物を吸引ろ過により単離して、水（３０ｍｌ）、そしてメタノール（１５ｍｌ）で洗浄し、乾燥した。これにより３．６ｇの暗緑色固体が得られ、ＨＰＬＣ分析によれば化合物（Ｉ−２）の９９．６面積％を構成し、理論上７１％の収率に相当する。
【誤訳訂正２】
【訂正対象書類名】特許請求の範囲
【訂正対象項目名】全文
【訂正方法】変更
【訂正の内容】
【特許請求の範囲】
【請求項１】
一般式（Ｉ）のジチイン−テトラカルボキシ−ジイミド類
【化１】
2013527149.tif 000001
（ここで、
Ｒ１及びＲ２は、同一若しくは異なり、そして水素であり、ハロゲン、−ＯＲ３及び／もしくは−ＣＯＲ４により１回以上置換されても良いＣ１−Ｃ８−アルキルであり、ハロゲン、Ｃ１−Ｃ４−アルキル若しくはＣ１-Ｃ４-ハロアルキルにより１回以上置換されても良いＣ３−Ｃ７−シクロアルキル、又はそれぞれハロゲン、Ｃ１−Ｃ４−アルキル、Ｃ１−Ｃ４−ハロアルキル、−ＣＯＲ４若しくはスルホニルアミノにより１回以上置換されても良いアリール若しくはアリール−（Ｃ１−Ｃ４−アルキル）であり、Ｒ３は、水素、Ｃ１−Ｃ４−アルキル若しくはＣ１−Ｃ４−アルキルカルボニル又はハロゲン、Ｃ１−Ｃ４−アルキル若しくはＣ１−Ｃ４−ハロアルキルにより１回以上置換されても良いアリールであり、
Ｒ４は、ヒドロキシル、Ｃ１−Ｃ４−アルキル又はＣ１−Ｃ４−アルコキシである。）を製造する方法であって、
式（ＶＩ）のジクロロマレイミド
【化２】
2013527149.tif 000002
（ここで、Ｒは、Ｒ１又はＲ２である。）
を無機チオ硫酸塩と、式（ＶＩ）のジクロロマレイミド１モル当たりチオ硫酸塩のモル比が１．３から１．６モルの間で溶媒中又は混合溶媒中で反応させることを特徴とする方法。
【請求項２】
使用されるチオ硫酸塩が、チオ硫酸リチウム、チオ硫酸ナトリウム、チオ硫酸カリウム、チオ硫酸セシウム、チオ硫酸マグネシウム若しくはチオ硫酸アンモニウム又はそれらの混合物から選択される可溶性無機チオ硫酸塩であることを特徴とする、請求項１に記載の方法。
【誤訳訂正書】
【提出日】平成27年8月27日(2015.8.27)
【誤訳訂正１】
【訂正対象書類名】特許請求の範囲
【訂正対象項目名】全文
【訂正方法】変更
【訂正の内容】
【特許請求の範囲】
【請求項１】
ベクターを含む、瘢痕化を減らすための組成物であって、
該ベクターの少なくとも一部は、転写によって、CCT-etaを阻害する低分子ヘアピンリボ核酸配列の鎖に対応し、
該ベクターが、該ベクターのin vivoでの取込みを促進するナノ粒子多糖送達試薬のマトリックスに埋め込まれている、
組成物。
【請求項２】
薬学的に受容できる賦形剤を更に含む、請求項１に記載の組成物。
【請求項３】
前記リボ核酸が、CCT-eta mRNA、CCT-eta蛋白、又はそれらの組み合わせの発現を阻害する、請求項１に記載の組成物。
【請求項４】
CCT-eta mRNAが、SEQ ID No. 7、11、12、13、14、それらのバリアントまたはそれらの組み合わせを含む、請求項３に記載の組成物。
【請求項５】
CCT-eta蛋白が、SEQ ID No. 9、15、16、17、18、それらのバリアントまたはそれらの組み合わせを含む、請求項３に記載の組成物。
【請求項６】
前記リボ核酸が、SEQ ID No. 1またはそのバリアントを含有するセンス鎖、及び、SEQ ID No. 2またはそのバリアントを含有するアンチセンス鎖を含む、請求項１に記載の組成物。
【請求項７】
前記ナノ粒子多糖送達試薬がアガロースマトリックス材料である、請求項１に記載の組成物。
【請求項８】
前記送達試薬がlipofectamine（登録商標）を更に含む、請求項１に記載の組成物。
【請求項９】
前記ベクターが、プラスミドベクターまたはウイルスベクターから選択される、請求項１に記載の組成物。
【請求項１０】
前記送達試薬が、Mirus Transit TKO（登録商標）の親油性試薬、アテロコラーゲン、lipofectin（登録商標）、cellfectin（登録商標）、ポリカチオン、リポゾーム、あるいはそれらの組み合わせを更に含む、請求項１に記載の組成物。
【誤訳訂正２】
【訂正対象書類名】明細書
【訂正対象項目名】００９２
【訂正方法】変更
【訂正の内容】
【００９２】
実施態様では、siRNAの投与は、siRNAそのものを送達試薬と混ぜて投与することも、またはsiRNAを発現する組み換えプラスミドかウイルスベクターとしての投与も可能である。
【誤訳訂正３】
【訂正対象書類名】明細書
【訂正対象項目名】００９４
【訂正方法】変更
【訂正の内容】
【００９４】
今回のsiRNAと共に投与するための適切な送達試薬には、Mirus Transit TKO親油性試薬、アテロコラーゲン、lipofectin、lipofectamine、cellfectin、またはポリ陽イオン（例えば、ポリリシン）、またはリポゾームがある。
【誤訳訂正４】
【訂正対象書類名】明細書
【訂正対象項目名】００９７
【訂正方法】変更
【訂正の内容】
【００９７】
幾つかの実施態様では、送達試薬にはアテロコラーゲンを含みうる。アテロコラーゲンは、高純度の子牛真皮コラーゲンをペプシン消化させたもので、幾つかのヒトへの臨床的応用（主に美容）をも含む広範囲の応用において安全なものである。
【誤訳訂正５】
【訂正対象書類名】明細書
【訂正対象項目名】００９８
【訂正方法】変更
【訂正の内容】
【００９８】
幾つかの実施態様では、送達試薬は、アガロースマトリックスに埋め込まれたsiRNA-lipofectamine ナノ粒子複合体を含む、ゲルベースの調製剤でありうる。
【誤訳訂正６】
【訂正対象書類名】明細書
【訂正対象項目名】００９９
【訂正方法】変更
【訂正の内容】
【００９９】
幾つかの実施態様では、送達試薬は、リン酸カルシウムをベースにしたナノ粒子である。リン酸カルシウムをベースにしたナノ粒子はゲル/軟膏混合液で調製されうる。特定の理論に縛られることを望むものではないが、ゲル/軟膏混合液は分子薬剤（siRNAのような）のウイルスベクターを使わない創面環境への送達法として理想的であると考えられている。
【誤訳訂正７】
【訂正対象書類名】明細書
【訂正対象項目名】０１００
【訂正方法】変更
【訂正の内容】
【０１００】
siRNAを発現する組み換えプラスミドについては上述した。幾つかの実施態様では、そのような組み換えプラスミドを直接、または適当な送達試薬と共に投与できる。送達試薬には、Mirus Transit LT1 lipophilic reagent、lipofectin、lipofectamine、cellfectin、ポリ陽イオン（例えば、ポリリシン）、またはリポゾームがある。siRNAを発現する組み換えウイルスベクターについても上述したが、そのようなベクターを患者の線維症や創傷修復の部位に送達する方法については、当業者が備えている技能の範囲内である。
【誤訳訂正書】
【提出日】平成27年7月27日(2015.7.27)
【誤訳訂正１】
【訂正対象書類名】特許請求の範囲
【訂正対象項目名】全文
【訂正方法】変更
【訂正の内容】
【特許請求の範囲】
【請求項１】
銅イオン源と、式Ｌ１の構造単位を含む直鎖状又は分岐状のポリマーのイミダゾリウム化合物を含む少なくとも一種の添加物と、を含み、
【化１】
2013527325.tif 000001
（式中、
Ｒ１とＲ２とＲ３は、それぞれ独立して、Ｈ原子及び１〜２０個の炭素原子をもつ有機基から選ばれ、
Ｒ４は、イミダゾール環の窒素原子に対してα又はβ位となる位置にヒドロキシル基を含まない二価、三価または多価の有機基であり、
ｎは２〜６０００の整数である。）
前記イミダゾリウム化合物の質量平均分子量Ｍｗは、５００ｇ／ｍｏｌ〜１００００００ｇ／ｍｏｌである、
組成物。
【請求項２】
Ｒ１とＲ２がＨ原子である請求項１に記載の組成物。
【請求項３】
Ｒ３がＨ原子である請求項１又は２に記載の組成物。
【請求項４】
Ｒ４が置換又は非置換のＣ２〜Ｃ２０アルカンジイルである請求項１〜３のいずれか一項に記載の組成物。
【請求項５】
Ｒ４がヒドロキシル基を含まない請求項４に記載の組成物。
【請求項６】
前記少なくとも一種の添加物が対イオンＹｏ−（式中ｏは整数である）を含む請求項１〜５のいずれか一項に記載の組成物。
【請求項７】
前記対イオンＹｏ−が、クロリド、スルフェートまたはアセテートである請求項６に記載の組成物。
【請求項８】
前記ポリマーのイミダゾリウム化合物の、ゲル浸透クロマトグラフィーで測定した数平均分子量Ｍｎが５００ｇ／ｍｏｌより大きい請求項１〜７のいずれか一項に記載の組成物。
【請求項９】
前記ポリマーのイミダゾリウム化合物が、８０重量％より多い式Ｌ１の構造単位を含む請求項１〜８のいずれか一項に記載の組成物。
【請求項１０】
前記添加物が、
α−ジカルボニル化合物Ｒ１−ＣＯ−ＣＯ−Ｒ２、
アルデヒドＲ３−ＣＨＯ、
少なくとも一種のアミノ化合物（ＮＨ２−）ｍＲ４、
プロトン酸（Ｈ＋）ｏＹｏ−、
（式中、Ｒ１、Ｒ２、Ｒ３、Ｒ４、Ｙ及びｏは上記の意味を持ち、ｍは２以上の整数である）を反応させることにより製造可能である請求項１〜９のいずれか一項に記載の組成物。
【請求項１１】
前記アミノ化合物が、脂肪族または芳香族のジアミン、トリアミン、マルチアミン、またはこれらの混合物である請求項１０に記載の組成物。
【請求項１２】
さらに一種以上の加速剤を含む請求項１〜１１のいずれか一項に記載の組成物。
【請求項１３】
さらに一種以上の抑制剤を含む請求項１〜１２のいずれか一項に記載の組成物。
【請求項１４】
請求項１〜１３のいずれか一項に定義された添加物の金属含有層析出用の浴での使用。
【請求項１５】
ａ）請求項１〜１３のいずれか一項に記載の組成物を含む金属メッキ浴を基材と接触させ、
ｂ）前記基材上に金属層を析出させるのに充分な時間、前記基材に電流密度を印加することにより基材上に金属層を析出させる方法。
【請求項１６】
前記基材が、マイクロメータまたはサブマイクロメータのサイズの開口を含み、マイクロメータまたはサブマイクロメータのサイズの開口の充填のために前記析出が行われる請求項１５に記載の方法。
【請求項１７】
前記マイクロメータまたはサブマイクロメータのサイズの開口の大きさが１〜１０００ｎｍである及び／又はアスペクト比が４以上である請求項１６に記載の方法。
【誤訳訂正２】
【訂正対象書類名】明細書
【訂正対象項目名】００１８
【訂正方法】変更
【訂正の内容】
【００１８】
式中、
Ｒ１とＲ２とＲ３は、それぞれ独立して、Ｈ原子及び１〜２０個の炭素原子をもつ有機基から選ばれ、
Ｒ４は、イミダゾール環の窒素原子に対してαまたはβ位となる位置にヒドロキシル基を含まない二価、三価または多価の有機基であり、
ｎは整数である。
【誤訳訂正３】
【訂正対象書類名】明細書
【訂正対象項目名】００２１
【訂正方法】変更
【訂正の内容】
【００２１】
先行技術のレベリング剤とは対照的に、本発明の添加物は、複素芳香族系がポリマー主鎖中に取り込まれていて、イミダゾール環の窒素原子に対してαまたはβ位となる位置にヒドロキシル基を持たないポリイミダゾリウム化合物である。
【誤訳訂正４】
【訂正対象書類名】明細書
【訂正対象項目名】０１９１
【訂正方法】変更
【訂正の内容】
【０１９１】
その結果を図５ｂに示すが、この図は完全充填溝のＳＥＭ像を示している。図５ａと較べると大きなレベリング効果は認められない。
【誤訳訂正書】
【提出日】平成26年12月19日(2014.12.19)
【誤訳訂正１】
【訂正対象書類名】明細書
【訂正対象項目名】００１７
【訂正方法】変更
【訂正の内容】
【００１７】
本発明の第一の局面のさらに他の態様において、薬学的に許容される液体は、水、生理食塩液、リン酸緩衝液、生物学的液体、特に血液または血液成分を含む液体、およびグリセロールから選択される。本方法にはまた、流動可能な骨セメントを2つ以上の椎体に注入する段階が含まれる。加えて、椎体は、骨折した骨または骨粗鬆症の骨であってもよい。他の態様において、リン酸カルシウム材料は30〜80 nm（たとえば、30〜50 nm）の範囲内の結晶を有するか、またはヒドロキシアパタイトと比較して60％未満（好ましくは50％未満、およびより好ましくは40％未満）の結晶化度の値を有する。
【誤訳訂正２】
【訂正対象書類名】明細書
【訂正対象項目名】００２０
【訂正方法】変更
【訂正の内容】
【００２０】
本発明の第二の局面のさらに他の態様において、リン酸カルシウムは、30〜80 nm（たとえば、30〜50 nm）の範囲内で結晶を有するか、またはヒドロキシアパタイトと比較して60％未満（好ましくは50％未満、より好ましくは40％未満）の結晶化度の値を有する。
【誤訳訂正３】
【訂正対象書類名】明細書
【訂正対象項目名】００８５
【訂正方法】変更
【訂正の内容】
【００８５】
本実施例において、産生されたNCAの結晶化度は、ナノサイズ結晶範囲30〜80 nmでおよそ60％であると推定される（ヒドロキシアパタイトと比較することによって）。
【誤訳訂正４】
【訂正対象書類名】明細書
【訂正対象項目名】００８９
【訂正方法】変更
【訂正の内容】
【００８９】
本実施例において、産生されたNLCAの結晶化度は、ナノサイズ結晶範囲30〜50 nmでおよそ50％であると推定される（ヒドロキシアパタイトと比較することによって）。
【誤訳訂正５】
【訂正対象書類名】明細書
【訂正対象項目名】００９３
【訂正方法】変更
【訂正の内容】
【００９３】
本実施例において、産生されたNLCAの結晶化度は、ナノサイズ結晶範囲30〜50 nmでおよそ40％であると推定される（ヒドロキシアパタイトと比較することによって）。
【誤訳訂正６】
【訂正対象書類名】明細書
【訂正対象項目名】００９７
【訂正方法】変更
【訂正の内容】
【００９７】
本実施例において、産生されたNLCAの結晶化度は、ナノサイズ結晶範囲30〜50 nmでおよそ40％であると推定される（ヒドロキシアパタイトと比較することによって）。
【誤訳訂正書】
【提出日】平成27年2月2日(2015.2.2)
【誤訳訂正１】
【訂正対象書類名】明細書
【訂正対象項目名】００１９
【訂正方法】変更
【訂正の内容】
【００１９】
さらなる局面にしたがって、フェースの外面は溝を有し、インサートの少なくとも一つは、フェースの溝と連続している溝を有する外面を有する。
【誤訳訂正書】
【提出日】平成26年12月17日(2014.12.17)
【誤訳訂正１】
【訂正対象書類名】特許請求の範囲
【訂正対象項目名】全文
【訂正方法】変更
【訂正の内容】
【特許請求の範囲】
【請求項１】
アミンとホスゲンを場合により不活性媒体の存在下において反応させることによりイソシアネートを製造する方法において、
ホスゲンとアミンを最初に混合して反応器内でイソシアネートに変換する工程と、
急冷部内で反応器から出るイソシアネート及び塩化水素を含む反応ガスに液状の急冷媒体を添加することによって反応ガスを冷却し、反応ガス及び急冷媒体との混合物を生成物流として形成する工程と、
急冷部の壁部を液体でぬらす工程と、
を有し、
反応混合物と接触する液体急冷部の全ての壁部が、前記液体でぬらされることを特徴とする方法。
【請求項２】
壁部をぬらす液体を、ノズルで壁部に噴射することを特徴とする請求項１に記載の方法。
【請求項３】
壁部をぬらす液体を、頂部及び／または底部から急冷部内に噴射することを特徴とする請求項２に記載の方法。
【請求項４】
壁部をぬらす液体及び急冷媒体を、同じノズルで混合物として急冷部内に噴射することを特徴とする請求項２または３に記載の方法。
【請求項５】
急冷媒体及び壁部をぬらす液体を、二物質ノズルまたは異なったノズルで急冷部内に噴射することを特徴とする請求項２または３に記載の方法。
【請求項６】
壁部をぬらす液体を、オーバーフロー、孔又は溝を介して供給することを特徴とする請求項１に記載の方法。
【請求項７】
壁部をぬらす液体は、少なくとも一種の低沸点物及び／または少なくとも一種の高沸点物を含むことを特徴とする請求項１に記載の方法。
【請求項８】
壁部をぬらす液体と急冷媒体とが同じ液体であることを特徴とする請求項７に記載の方法。
【請求項９】
壁部をぬらす液体がイソシアネート及び／または少なくとも一種の溶媒を含むことを特徴とする請求項７または８に記載の方法。
【請求項１０】
壁部をぬらす液体中に存在するイソシアネートが、反応で生成されたイソシアネートと同じであることを特徴とする請求項７〜９のいずれか１項に記載の方法。
【請求項１１】
反応ガスを急冷部及び下流の任意の冷却段階で最初に冷却して生成物流に凝縮し、冷却後に、副流を、壁部をぬらす液体として用いることを特徴とする請求項１０に記載の方法。
【請求項１２】
少なくとも１種の溶媒が、急冷媒体中及び／または壁部をぬらす液体中に存在し、前記溶媒は、モノクロロベンゼン、ジクロロベンゼン、トリクロロベンゼン、ヘキサン、ベンゼン、１，３，５−トリメチルベンゼン、ニトロベンゼン、アニゾール、クロロトルエン、ｏ−ジクロロベンゼン、ジエチルイソフタレート、テトラヒドロフラン、ジメチルフォルムアミド、キシレン、クロロナフタレン、デカヒドロナフタレン及びトルエンからなる群から選択されることを特徴とする請求項７〜１１のいずれか１項に記載の方法。
【請求項１３】
壁部をぬらす液体は、所定の噴射部から壁部に噴射することで急冷部に供給され、この液体の噴射量は、前記液体の一部のみが急冷部内で気化し、かつ壁部を完全にぬらすために十分な量の液体が気化しない量に設定されていることを特徴とする請求項１〜１２の何れか１項に記載の方法。
【誤訳訂正２】
【訂正対象書類名】明細書
【訂正対象項目名】００３９
【訂正方法】変更
【訂正の内容】
【００３９】
壁部をぬらす液体をノズル（噴射部）で壁部に噴射する際には、頂部から、及び／または底部から急冷部内に液体を噴射することができる。
【誤訳訂正３】
【訂正対象書類名】明細書
【訂正対象項目名】００４１
【訂正方法】変更
【訂正の内容】
【００４１】
液体で急冷部の壁部を完全にぬらすことを可能にするために、液体の一部のみが急冷部内で気化し、そして壁部を完全にぬらすのに十分に多い部分が気化しないように、噴射される液体の量が設定される。
【手続補正書】
【提出日】平成26年11月18日(2014.11.18)
【手続補正１】
【補正対象書類名】特許請求の範囲
【補正対象項目名】全文
【補正方法】変更
【補正の内容】
【特許請求の範囲】
【請求項１】
酸化ストレスによって生じる、または悪化される、網膜障害を治療するための医薬であって、下記化合物
【化１】
2013544838.tif 000001
またはその薬学的に許容される塩
から成る群から選択される化合物を含む、上記医薬。
【請求項２】
前記網膜障害が、湿潤および乾燥型加齢黄斑変性、網膜色素変性、スターガルト病錐体ジストロフィおよび網膜色素上皮のパターンジストロフィ、黄斑浮腫、網膜剥離、網膜の外傷、腫瘍と関連付けられた網膜腫瘍および網膜疾患、網膜色素上皮の先天性肥大、急性後部多発性斑状網膜色素上皮症、ならびに急性網膜色素上皮炎から成る群から選択される、請求項１に記載の医薬。
【請求項３】
前記網膜障害が、湿潤および乾燥型加齢黄斑変性、網膜色素変性、スターガルト病錐体ジストロフィおよび網膜色素上皮のパターンジストロフィ、網膜色素上皮の先天性肥大、急性後部多発性斑状網膜色素上皮症、ならびに急性網膜色素上皮炎から成る群から選択される、請求項２に記載の医薬。
【請求項４】
前記医薬が経口投与される、請求項１〜３のいずれか１項に記載の医薬。
【請求項５】
前記医薬が眼内にそれを注入することによって投与される、請求項１〜３のいずれか１項に記載の医薬。
【請求項６】
前記医薬が眼に局所的に投与される、請求項１〜３のいずれか１項に記載の医薬。
【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
以下の構造式：
【化１】
2013544892.tif 000001
を有する化合物又はその薬学的に許容しうる塩、及び
【化２】
2013544892.tif 000002
からなる群より選択される構造式を有する化合物又はその薬学的に許容しうる塩を含む組成物。
【請求項２】
薬学的に許容しうる担体をさらに含む、請求項１に記載の組成物。
【請求項３】
式（１）の前記化合物及び式（２ａ）又は（２ｂ）の前記化合物が、前記組成物が患者に投与されたとき患者における腫瘍体積の減少において相乗効果を生じる量である、請求項１に記載の組成物。
【請求項４】
治療有効量の式（１）の化合物又はその薬学的に許容しうる塩を、式（２ａ）若しくは式（２ｂ）の化合物、又はその薬学的に許容しうる塩と組み合わせて含む、がん患者を処置するための医薬。
【請求項５】
有効量が、前記患者における腫瘍体積の減少において相乗効果を達成する、請求項４に記載の医薬。
【請求項６】
有効量が、前記患者における腫瘍静止を達成する、請求項４に記載の医薬。
【請求項７】
前記がんが、肺非小細胞がん、乳がん、膵臓がん、肝臓がん、前立腺がん、膀胱がん、子宮頸がん、甲状腺がん、結腸直腸がん、肝臓がん、筋がん、血液学的悪性疾患、黒色腫、子宮内膜がん及び膵臓がんからなる群より選択される、請求項４に記載の医薬。
【請求項８】
がんが、結腸直腸がん、子宮内膜がん、血液学的悪性腫瘍、甲状腺がん、乳がん、黒色腫、膵臓がん及び前立腺がんからなる群より選択される、請求項４に記載の医薬。
【請求項９】
式（２ａ）の化合物を含む、請求項４に記載の医薬。
【請求項１０】
式（２ｂ）の化合物を含む、請求項４に記載の医薬。
【請求項１１】
治療有効量の、（Ａ）式（１）の化合物、又はその薬学的に許容しうる塩、及び（Ｂ）式（２ａ）若しくは式（２ｂ）の化合物、又はその薬学的に許容しうる塩を含む、がんの処置における使用のための組み合わせ。
【請求項１２】
（Ａ）式（１）の化合物、又はその薬学的に許容しうる塩；（Ｂ）式（２ａ）若しくは式（２ｂ）の化合物、又はその薬学的に許容しうる塩；及び（Ｃ）使用のための指示書を含んでなるキット。
【請求項１３】
がんの処置における使用のための医薬の製造のための、治療有効量の（Ａ）式（１）の化合物、又はその薬学的に許容しうる塩、及び（Ｂ）式（２ａ）若しくは式（２ｂ）の化合物、又はその薬学的に許容しうる塩を含む組み合わせの使用。
【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
式（Ｉ）の化合物またはその薬学的に許容される塩：
【化１】
2013544860.tif 000001
［式中、
ｎは０、１、２、または３であり；
Ｘは、ＣＨ２、Ｏ、Ｓ、ＮＨ、またはＮ（Ｃ１−Ｃ６アルキル）であり；
Ｙは、Ｈ、Ｃ１−Ｃ６アルキル、またはＣ３−Ｃ６シクロアルキルであり；
Ｚは、Ｈ、Ｃ１−Ｃ６アルキル、Ｃ１−Ｃ６−ハロアルキル、−ＣＨ２−フェニル、−ＣＨ２−ヘテロアリール、−（ＣＨ２）２Ｃ（＝Ｏ）−ＯＣＨ３、−ＣＨ２−ヘテロシクロアルキル、−ＣＨ２ＣＯＯＨ、−ＣＨ２Ｃ（＝Ｏ）−ヘテロシクロアルキルであり、フェニル、ヘテロアリール、またはヘテロシクロアルキルは、Ｃ１−Ｃ６アルキル、Ｃ１−Ｃ６アルコキシル、Ｃ１−Ｃ３ハロアルキル、ＣＮ、ハロ、および−ＯＨからなる群から独立して選択される１または複数の置換基で置換されていてよく；
Ｒａは、水素またはＣ１−Ｃ３アルキルであり；
Ａｒは、ＣＮ、ハロ、Ｃ１−Ｃ６アルキル、Ｃ１−Ｃ６アルコキシ、およびＣ１−Ｃ６ハロアルキルからなる群から独立して選択される１または複数の置換基でいずれも置換されていてよい、フェニルまたは６個の構成原子を有する単環系であるヘテロアリールであり；
Ａｒ’は、ＣＮ、ハロ、Ｃ１−Ｃ６アルキル、Ｃ１−Ｃ６アルコキシ、Ｃ１−Ｃ６ハロアルキル、−Ｏ−Ｃ１−Ｃ６ハロアルキルからなる群から独立して選択される１または複数の置換基でいずれも置換されていてよい、フェニルまたはヘテロアリールであり；
ＸがＳでありかつＺがＣ１−Ｃ６−アルキルである場合、Ａｒ’は非置換フェニルではない］。
【請求項２】
ｎが、１または２であり；
Ｘが、ＣＨ２、Ｏ、Ｓ、ＮＨ、またはＮＣＨ３であり；
Ｙが、ＨまたはＣ１−Ｃ３アルキルであり；
Ｚが、Ｈ、Ｃ１−Ｃ３アルキル、Ｃ１−Ｃ３ハロアルキル、−ＣＨ２−フェニル、−ＣＨ２−ヘテロアリール、（ＣＨ２）２Ｃ（＝Ｏ）−ＯＣＨ３、−ＣＨ２−ヘテロシクロアルキル、−ＣＨ２ＣＯＯＨ、−ＣＨ２Ｃ（＝Ｏ）−ヘテロシクロアルキルであり、フェニル、ヘテロアリール、またはヘテロシクロアルキルは、Ｃ１−Ｃ６アルキル、Ｃ１−Ｃ６アルコキシル、Ｃ１−Ｃ３ハロアルキル、ＣＮ、ハロ、および−ＯＨからなる群から独立して選択される１または複数の置換基で置換されていてよく；
Ｒａが、水素またはＣＨ３であり；
Ａｒが、ＣＮ、ハロ、Ｃ１−Ｃ６アルキル、Ｃ１−Ｃ６アルコキシ、およびＣＦ３からなる群から独立して選択される１または複数の置換基で置換されていてよいフェニルであり；
Ａｒ’が、ＣＮ、ハロ、Ｃ１−Ｃ６アルキル、Ｃ１−Ｃ６アルコキシ、Ｃ１−Ｃ６ハロアルキル、および−Ｏ−Ｃ１−Ｃ６ハロアルキルからなる群から独立して選択される１または複数の置換基でいずれも置換されていてよい、フェニルまたはヘテロアリールである、
請求項１に記載の化合物。
【請求項３】
ｎが２である、請求項１または２に記載の化合物。
【請求項４】
ＸがＯである、請求項１〜３のいずれか一項に記載の化合物。
【請求項５】
ＹがＨまたはＣＨ３である、請求項１〜４のいずれか一項に記載の化合物。
【請求項６】
Ｚが、ＣＨ３またはＯＣＨ３から選択される１個の置換基で選択された−ＣＨ２−ピリミジニルである、請求項１〜５のいずれか一項に記載の化合物。
【請求項７】
Ｒａが水素である、請求項１〜６のいずれか一項に記載の化合物。
【請求項８】
Ａｒが非置換フェニルである、請求項１〜７のいずれか一項に記載の化合物。
【請求項９】
Ａｒ’が、ＣｌおよびＣＦ３で置換されたフェニルである、請求項１〜８のいずれか一項に記載の化合物。
【請求項１０】
前記化合物が、式（ＩＡ）：
【化２】
2013544860.tif 000002
（式中、
Ｚは、ピリミジニルが１個のＯＣＨ３で置換されていてよい−ＣＨ２−ピリミジニルであり；
Ｘは、Ｏであり；
Ｙは、Ｈであり；
ＲｃおよびＲｂは、独立して、ハロまたはＣＦ３である）
の構造またはその薬学的に許容される塩の構造を有する、請求項１に記載の化合物。
【請求項１１】
前記化合物が、
【化３】
2013544860.tif 000003
の構造またはその薬学的に許容される塩の構造を有する、請求項１に記載の化合物。
【請求項１２】
前記化合物が、
【化４】
2013544860.tif 000004
の構造またはその薬学的に許容される塩の構造を有する、請求項１に記載の化合物。
【請求項１３】
請求項１〜１２のいずれか一項に記載の式（Ｉ）の化合物と薬学的に許容される担体とを含んでなる医薬組成物。
【請求項１４】
安全かつ有効な量の請求項１〜１２のいずれか一項に記載の式（Ｉ）の化合物またはその薬学的に許容される塩をそれを必要とする対象に投与することを含んでなる、対象においてアルツハイマー病を処置する方法。
【請求項１５】
安全かつ有効な量の請求項１〜１２のいずれか一項に記載の式（Ｉ）の化合物またはその薬学的に許容される塩をそれを必要とする対象に投与することを含んでなる、対象においてアテローム性動脈硬化症を処置する方法。
【手続補正書】
【提出日】平成26年12月3日(2014.12.3)
【手続補正１】
【補正対象書類名】明細書
【補正対象項目名】００３６
【補正方法】変更
【補正の内容】
【００３６】
「ヘテロアリール」とは、特定の数の環原子を有する芳香族単環であって、Ｎ、Ｏ、および／またはＳから選択される少なくとも１個の異種原子を含む環を意味する。「ヘテロアリール」基の例としては、ピラゾリル、ピリジニル、ピリミジニル、フラニル、チオフェニル、ピロリル、イミダゾリル、トリアゾリル、テトラゾリル、オキサゾリル、イソキサゾリル、オキサジアゾリル、オキソ−ピリジル、チアジアゾリル、チアゾリル、イソチアゾリル、ピリダジニル、ピラジニル、およびトリアジニルが挙げられる。
【手続補正２】
【補正対象書類名】特許請求の範囲
【補正対象項目名】全文
【補正方法】変更
【補正の内容】
【特許請求の範囲】
【請求項１】
式（Ｉ）の化合物またはその薬学的に許容される塩：
【化１】
2013544854.tif 000001
式中、
Ａは、ＮまたはＣＨであり；
ｎは、１または２であり；
Ｘは、Ｏ、ＣＨ２、またはＮＨであり；
ＡがＮである場合、Ｙは、なし、Ｏ、またはＣＨ２であり、あるいはＡがＣＨである場合、ＹはＯであり；
Ｚは、Ｈ、Ｃ１−Ｃ３アルキル、−（Ｃ１−Ｃ３アルキル）−ヘテロアリールであり、前記ヘテロアリールは、Ｃ１−Ｃ３アルキルおよびＣ１−Ｃ３アルコキシルからなる群から独立して選択される１または複数の置換基で置換されていてよく；
Ｒａは、Ｈ、Ｆ、Ｃｌ、またはＣ１−Ｃ３アルキルであり；
Ｒｂは、フェニルまたはヘテロアリールであり、いずれも、ＣＮおよびハロからなる群から独立して選択される１または複数の置換基で置換されていてよく、；かつ
Ｒｃは、フェニルまたはヘテロアリールであり、前記フェニルまたはヘテロアリールのいずれも、ハロ、Ｃ１−Ｃ３アルキル、およびＣ１−Ｃ３ハロアルキルからなる群から独立して選択される１または複数の置換基で置換されていてよい。
【請求項２】
ＡがＮである、請求項１に記載の化合物。
【請求項３】
ｎが１または２である、請求項１または２に記載の化合物。
【請求項４】
ＸがＯである、請求項１〜３のいずれか一項に記載の化合物。
【請求項５】
ＹがＯである、請求項１〜４のいずれか一項に記載の化合物。
【請求項６】
Ｚが−ＣＨ２−ヘテロアリールであって、前記ヘテロアリールが、ピリジニル、ピラゾリル、ピリミジニルからなる群から選択され、前記ヘテロアリールが、ＣＨ３および−ＯＣＨ３からなる群から独立して選択される１または複数の置換基で置換されていてよい、請求項１〜５のいずれか一項に記載の化合物。
【請求項７】
ＲａがＨである、請求項１〜６のいずれか一項に記載の化合物。
【請求項８】
Ｒｂが、ＣＮおよびＦからなる群から独立して選択される１または複数の置換基で置換されていてよいフェニルである、請求項１〜７のいずれか一項に記載の化合物。
【請求項９】
Ｒｃが、Ｆ、Ｃｌ、ＣＨ３、およびＣＦ３からなる群から独立して選択される１または複数の置換基で置換されていてよいフェニルである、請求項１〜８のいずれか一項に記載の化合物。
【請求項１０】
Ａが、Ｎであり；
ｎが、１または２であり；
Ｘが、Ｏであり；
Ｙが、Ｏであり；
Ｚが、−ＣＨ２−ヘテロアリールであり、前記ヘテロアリールが、ピリジニル、ピラゾリル、ピリミジニルからなる群から選択され、前記ヘテロアリールが、ＣＨ３および−ＯＣＨ３からなる群から独立して選択される１または複数の置換基で置換されていてよく；
Ｒａが、Ｈ、Ｆ、またはＣｌであり；
Ｒｂが、ＣＮおよびＦからなる群から独立して選択される１または複数の置換基で置換されていてよいフェニルであり；かつ
Ｒｃが、Ｆ、Ｃｌ、ＣＨ３、およびＣＦ３からなる群から独立して選択される１または複数の置換基で置換されていてよいフェニルである、
請求項１に記載の化合物。
【請求項１１】
請求項１〜１０のいずれか一項に記載の式（Ｉ）の化合物と、薬学的に許容される担体とを含んでなる医薬組成物。
【請求項１２】
アルツハイマー病の処置に用いるための、請求項１１に記載の医薬組成物。
【請求項１３】
アテローム性動脈硬化症の処置に用いるための、請求項１１に記載の医薬組成物。